(57)【要約】  装置によってアクセス可能なコンテンツを含むメディアを使用してメディア装置のコントローラの便利な更新を可能にするための機器および方法が提供される。諸実施形態で提供される諸特徴は、装置ユーザへの更新の迅速で効率のよい配信および装置の使用の促進を含むことができるが、それらに限定されない。
2009523290.tif 000002
【特許請求の範囲】
【請求項１】
メディアプレーヤのコントローラに更新を提供する方法であって、更新/コンテンツメディアを作成することを含み、前記更新/コンテンツメディアが、コンテンツに対応するデータおよび少なくとも1つの更新に対応するデータを含む方法。
【請求項２】
前記メディアプレーヤが、DVDプレーヤ、CD-ROMプレーヤ、磁気または光ディスクプレーヤ、およびフラッシュメモリプレーヤからなるグループから選択される、請求項1に記載の方法。
【請求項３】
前記メディアプレーヤがBD-ROMプレーヤである、請求項1に記載の方法。
【請求項４】
前記メディアプレーヤがDVDプレーヤまたはBD-ROMプレーヤであり、前記コンテンツが映画またはテレビ放送番組である、請求項2に記載の方法。
【請求項５】
前記作成することが、対応する複数の更新を含む複数のスロットを作成することをさらに含む、請求項1に記載の方法。
【請求項６】
前記複数のスロットの少なくとも一部分が、1つのメディアプレーヤのために様々な更新を含む、請求項5に記載の方法。
【請求項７】
各スロットが、1つのタイプのメディアプレーヤのために別個の更新を含む、請求項6に記載の方法。
【請求項８】
前記複数のスロットの少なくとも一部分が、複数のタイプのメディアプレーヤのために様々な更新、それぞれ1つまたは複数の更新を含む、請求項5に記載の方法。
【請求項９】
各スロットが、別個のタイプのメディアプレーヤのために最新の更新を含む、請求項8に記載の方法。
【請求項１０】
前記メディアプレーヤが、更新の存在を自動的に検出するように構成される、請求項1に記載の方法。
【請求項１１】
前記作成することが、前記メディアが複製された場合、前記更新が前記メディア上に提供されるように、前記更新をディスクレプリケータに記憶することをさらに含む、請求項1に記載の方法。
【請求項１２】
前記作成することが、前記全てのスロットが満たされるまで各スロットに更新を記憶し、次いで、時間的に最も古い更新を時間的に次の更新で置換することをさらに含む、請求項6に記載の方法。
【請求項１３】
前記更新が暗号化される、請求項1に記載の方法。
【請求項１４】
前記更新が、前記更新がどのメディアプレーヤに関するかを識別するヘッダを含む、請求項1に記載の方法。
【請求項１５】
前記ヘッダが暗号化される、請求項14に記載の方法。
【請求項１６】
コンテンツに対応するデータおよび少なくとも1つの更新に対応するデータを含むコンピュータ可読メディア。
【請求項１７】
メディアプレーヤのコントローラを更新する方法であって、
a.  更新/コンテンツメディアを提供することであって、前記更新/コンテンツメディアが、コンテンツに対応するデータおよび少なくとも1つの更新に対応するデータを含むこと、
b.  前記更新/コンテンツメディアをメディアプレーヤに挿入するようにユーザに命令すること、
c.  前記更新/コンテンツメディアが前記メディアプレーヤに対応する更新を含むかどうか検出すること、およびそれを含む場合は、
i.  前記メディアプレーヤを介して前記ユーザに画面を表示することであって、前記画面が、前記更新をインストールする選択肢を前記ユーザに与えること、
ii.  その結果、前記ユーザが前記更新をインストールすることを選択した場合は、前記更新が前記メディアプレーヤの前記コントローラを変更することを含む方法。
【請求項１８】
前記更新がインストールされたという通知を表示することをさらに含む、請求項17に記載の方法。
【請求項１９】
メディアプレーヤのコントローラを更新する方法であって、
a.  更新/コンテンツメディアを提供することであって、前記更新/コンテンツメディアが、コンテンツに対応するデータおよび少なくとも1つの更新に対応するデータを含むこと、
b.  前記更新/コンテンツメディアをメディアプレーヤに挿入すること、および
c.  前記メディアプレーヤの前記コントローラが変更されるように前記更新/コンテンツメディアをインストールすることを含む方法。
【発明の詳細な説明】
【技術分野】
【０００１】
関連出願に対する相互参照
本出願は、参照によりその全体が本明細書に組み込まれる、「Firmware Updates on Media」という名称の、2006年1月11日に出願された、米国特許仮出願第60/758,451号の優先権の利益を主張するものである。
【０００２】
本発明は、メディアプレーヤを更新する分野にあり、詳細には、メディアプレーヤのコントローラのためのファームウェアを更新する分野にある。
【背景技術】
【０００３】
従来のシステムでは、装置のファームウェアまたはソフトウェアのための更新は、通常、インストールのために装置製造業者によって装置のユーザに直接提供される。
【発明の開示】
【発明が解決しようとする課題】
【０００４】
しかし、この手法は、特に時が経つにつれて多くの更新がある場合、ユーザにとっては厄介であり得る。
【０００５】
また、更新機構が必要であるが、例えば複雑で進化している規格のために、不便である場合、装置または装置に関連する規格は、ユーザにはいっそう評判が悪くなるかもしれない。
【課題を解決するための手段】
【０００６】
一態様では、本発明は、更新/コンテンツメディアを作成することを含む、メディアプレーヤのコントローラに更新を提供する方法を対象とし、更新/コンテンツメディアは、コンテンツに対応するデータおよび少なくとも1つの更新に対応するデータを含む。
【０００７】
本発明の諸実施形態は、以下のうちの1つまたは複数を含むことができる。メディアプレーヤは、BD-ROMプレーヤ、DVDプレーヤ、CD-ROMプレーヤ、磁気または光ディスクプレーヤ、あるいはフラッシュメモリプレーヤでもよい。メディアプレーヤがDVDプレーヤまたはBD-ROMプレーヤである場合、コンテンツは映画でもテレビ放送番組でもよい。作成するステップは、対応する複数の更新を含むために複数のスロットを作成することをさらに含むことができる。複数のスロットのうちの少なくとも一部分は、1つのメディアプレーヤのために様々な更新を含むことができる、例えば、各スロットは1つのタイプのメディアプレーヤのために別個の更新を含むことができる。他の実施形態では、複数のスロットのうちの少なくとも一部分は、複数のタイプのメディアプレーヤのために様々な更新、それぞれ1つまたは複数の更新を含む。例えば、各スロットは、別個のタイプのメディアプレーヤのために最新の更新を含むことができる。メディアプレーヤは、更新の存在を自動的に検出するように構成されることができる。作成するステップは、メディアが複製される場合、更新がメディア上に提供されるように、更新をディスクレプリケータに記憶することをさらに含むことができる。作成するステップは、全てのスロットがいっぱいになるまで各スロットに更新を記憶し、次いで、時間的に最も古い更新を時間的に次の更新で置換することをさらに含むことができる。更新は暗号化されることができ、更新がどのメディアプレーヤに関するかを識別するヘッダを含むことができる。
【０００８】
他の実施形態では、本発明は、コンテンツに対応するデータおよび少なくとも1つの更新に対応するデータを含むコンピュータ可読メディアを対象とする。
【０００９】
さらなる態様では、本発明は、メディアプレーヤのコントローラを更新する方法を対象とし、この方法は、更新/コンテンツメディアを提供することであって、その更新/コンテンツメディアが、コンテンツに対応するデータおよび少なくとも1つの更新に対応するデータを含むこと、更新/コンテンツメディアをメディアプレーヤに挿入するようにユーザに命令すること、更新/コンテンツメディアが、メディアプレーヤに対応する更新を含むかどうか検出すること、およびそれを含む場合は、メディアプレーヤを介してユーザに画面を表示することであって、その画面が、更新をインストールする選択肢をユーザに与えること、その結果、ユーザが更新をインストールすることを選択した場合は、更新がメディアプレーヤのコントローラを変更することを含む。
【００１０】
本発明の諸実施形態は、以下のうちの1つまたは複数を含むことができる。方法は、更新がインストールされたという通知を表示するステップをさらに含むことができる。
【００１１】
さらに別の実施形態では、本発明は、メディアプレーヤのコントローラを更新する方法を対象とし、この方法は、更新/コンテンツメディアを提供することであって、その更新/コンテンツメディアが、コンテンツに対応するデータおよび少なくとも1つの更新に対応するデータを含むこと、更新/コンテンツメディアをメディアプレーヤに挿入すること、およびメディアプレーヤのコントローラが変更されるように更新/コンテンツメディアをインストールすることを含む。
【００１２】
本発明の利点は、以下のうちの1つまたは複数を含むことができる。メディアプレーヤのための更新手順はユーザには都合がよく、追加のステップはほとんど必要がない。大きな更新でも、容易にユーザに提供されることができる。ユーザはメディアプレーヤの使用を積極的に楽しみ、メディアプレーヤの使用が増大する可能性がある。
【発明を実施するための最良の形態】
【００１３】
以下の定義が本説明で利用される。
【００１４】
「コンテンツ」は、本コンテキストでは、単一の観る者/聴く者を含む視聴者に対する、観られることまたは聴かれることを含めて、再生されることができる情報またはデータを指す。コンテンツは、通常、オーディオデータ、ビデオデータ、または画像データのうちの1つまたは複数を含む。
【００１５】
「メディア」は、CD、DVD、またはブルーレイディスクなど、コンテンツあるいは他のデータファイルまたはアプリケーションを含む、もしくは記憶する装置または物品を指す。メディアはまた、ダウンロードされたコンテンツあるいは他のデータファイルまたはアプリケーションを指してもよい。
【００１６】
「メディアプレーヤ」は、DVDプレーヤ、BD-ROMプレーヤ、CD-ROMプレーヤ、コンピュータ、および他のそのような装置など、コンテンツを再生することができる装置を指す。
【００１７】
メディアプレーヤの「コントローラ」は、メディアプレーヤを動作させるプロセッサによって利用可能な命令を含むソフトウェア、ハードウェア、ファームウェア、または他のいかなるフォーマットをも指す。
【００１８】
メディアプレーヤのコントローラに対する「更新」は、メディアプレーヤのコントローラの一部分または全てを変更するソフトウェアおよび/またはデータを指す。更新データはまた、一般に、「非コンテンツ」データとみなされてもよく、逆もまたあり得る。更新は、プレーヤのメディア機能以外のプレーヤの動作の態様を制御することに適用されてもよい。更新はまた、プレーヤに記憶されたデータのための更新でもよく、またはそのような更新を含んでもよいが、制御(例えば、データの表示)のために直接使用されることはできない。
【００１９】
「UDCM」または「更新/コンテンツメディア」は、コンテンツと更新の両方を含むメディアを指す。
【００２０】
図1を参照すると、例示的実施形態10では、本発明は、更新を含むメディアを入力するステップ(ステップ12)、およびアプリケーション、特にメディアプレーヤのコントローラを更新または更新で変更するステップを含む。メディアの入力(ステップ12)は、更新を含むメディアを挿入すること(ステップ16)により、または更新を含むメディアをダウンロードすること(ステップ18)により、遂行されることができる(図2参照)。
【００２１】
より詳細には、更新は、メディアプレーヤ22または他のそのような装置で使用されるためにメディア上に提供される。図3に示されている一実施形態では、メディアプレーヤ22は、更新可能なコントローラ24および更新コンポーネント26を含み、これらは両方とも、更新データを検出しそれをメディアプレーヤの中のコントローラを更新するために使用することができるハードウェア、ソフトウェア、ファームウェア、または組合せを構成することができる。メディアは、入力装置28を介して、または入力32を介して、メディア装置22にとってアクセス可能でもよい。入力装置28は、例えば、付随するコンポーネントおよび回路を有するディスクドライブでもよい。代替入力装置32は、コンテンツファイルおよび更新ファイル、例えば、USB入力、USB2入力、無線入力、ファイアワイヤ入力、あるいは、信号、特に、コンテンツおよび更新データの組合せを運ぶことができる他のいかなるタイプの入力または入力の組合せをも受け入れることができるいかなる種類のコンポーネントでもよい。
【００２２】
図4で見られる他の実施形態10'では、本発明は、更新を含むメディアを入力するステップ(ステップ12')を含んでもよく、メディアプレーヤまたは他の装置は、メディアがメディア装置またはプレーヤに関する更新を含むかどうかを検出するように構成される。そのような検出時に、コントローラは、自動的に、または、以下でより詳細に議論されるように、そのような更新が望まれることをユーザが検証したときに、しかるべく更新されることができる(ステップ14')。関係する更新が何も検出されない場合、メディア上のコンテンツは、他のいかなるコンテンツとも同様に再生されることができる。
【００２３】
図5の実施方法30を参照すると、更新データとコンテンツの両方を含む更新/コンテンツメディアが入力されることができる(ステップ34)。コンテンツが再生されることができ(ステップ36)、コントローラがしかるべく更新されることができる(ステップ38)。ステップ36およびステップ38はいかなる順序で生じてもよく、さらに同時に生じてもよい。
【００２４】
図6を参照すると、システムおよび方法は、ディスクレプリケータシステム42の一部分として実施されることができる。ディスクレプリケータシステム42は、更新に対応するデータを更新コンポーネントストレージ44に記憶し、コンテンツに対応するデータをコンテンツストレージ46に記憶することができる。代替として、更新コンポーネントストレージおよびコンテンツストレージは、単一のストレージ装置またはシステムに結合される。データライタ48は、両方のタイプの実際のデータをメディア上に書き込む。このようにして、ディスクレプリケータシステム42は、1つまたは複数のメディア装置のためのそれぞれの更新データを非更新データと共にメディアの物品上に記憶することができる。
【００２５】
特に、図7を参照すると、この方法50は、更新データをレプリケータに記憶することから開始することができる(ステップ52)。方法50は、続いてコンテンツデータをレプリケータに記憶することができる(ステップ54)。次いで、コンテンツ(ステップ56)および更新(ステップ58)データがメディアに書き込まれることができる。もちろん、コンテンツおよびデータが記憶され、続いて書き込まれるステップは、いかなる順序で生じてもよい。
【００２６】
メディア上の更新データは、例えば、単一タイプのメディアプレーヤに対する順次更新を含んでもよい。これを遂行するために、図8に示されているように、メディア60は、コンテンツまたは非コンテンツデータ68、およびそれぞれがそれぞれ更新62〜66を保持する1〜5と番号付けされた複数のスロットと共に示されている。メディアの他の実施形態は、より多くのまたはより少ないスロットを含んでもよい。スロットは、メディア上のストレージの特に専用の(例えばメディアのための対応する仕様によって特定された)(物理的または論理的)領域でもよく、他のストレージスペース(例えば、メディアの仕様に従って割り当てられたが、準備されるメディアで空のままになっているスペースなど、メディア作成者によって使用されていないとみなされるスペース、またはメディア全体にわたって分散され、定義されたまたは検索可能なロケーションに記憶された表によってインデックスされたスペースの集まり)を利用することもできる。
【００２７】
例えば、ブルーレイディスク(BD)メディアプレーヤ装置は、ムービーディスクなどのBDディスク(BD-ROM)上に記憶されている更新を受け入れることができる。BD-ROMムービータイトル上に含まれる複数のデータスロットは、関係するBDプレーヤのための更新をホストするために使用されることができる。「スロット」は、プレーヤ会社の要求に応じて必要な場合は上記のようなディスクレプリケータ会社によって満たされることができる。
【００２８】
「スロット」は、更新の循環を可能にし、新規の更新のための余地を作るために、「先入れ先出し」ベースで管理されることができる。
【００２９】
図9の実施形態を参照すると、方法70は、第1スロットが第1更新をホスト（host）すること(ステップ72)から開始することができ、第2スロットが第2更新をホストし(ステップ74)、以下同様である。残余のスロットは、全てのスロットが使用されるまで更新で満たされることができる(ステップ76)。新規の更新「N」が発行された場合(ステップ78)、新規の更新がスロット1で更新1を上書きしそれに取って代わる。このようにして、最も古い更新が最新の更新によって置換される。例えば、ムービーの新規のコピーが、時が経つにつれてリリースされると、プレーヤ製造業者からどのような更新データが受け取られたかに応じて、メディアに記憶される更新が変わる。
【００３０】
BD-ROMの実施形態では、BD-ROMは、更新のために定義された数のスロットを含むことができる。上記のようなレプリケータシステムは、プレーヤ会社から受け取られた更新でこれらのスロットを、受け取られた順に、満たすことができる。タイトルの最初のリリース時に、更新が何もなかった場合、スロットは空であるか、または代替として、他のデータストレージのために使用されることができる。更新が受け取られると、スロットが使用され、BD-ROMが現在のセットのスロットで再生される。新規の更新が受け取られ、スロットが全て使用された場合、最も古い更新が新規の更新で置換される。このようにして、更新が回転される。このやり方は、BD-ROM設定では、規格が複雑で進化しているので、特に重要である。
【００３１】
図10を参照すると、更新/コンテンツメディア上の更新の存在の検出のための方法80が示されている。ヘッダは、更新がどんなメディアプレーヤに適用されるかを示すために、各更新データの初めに配置されることができる。ディスクの挿入またはブート時に(ステップ84)、利用メディアプレーヤに関係する更新を示すヘッダがないかスロットがスキャンされる(ステップ86)。適用可能なヘッダが、したがって更新がスキャンステップで見つけられた場合は、これが自動的にインストールされることができる、または任意選択で、ユーザが、インストールが望まれるかどうかに関して促されることができる(ステップ88)。ユーザがインストールに同意する場合は(ステップ88の「はい」のブランチ)、これが、適切であるとしてインストールされることができる(ステップ92)。このステップは、重複インストールが回避されることを保証し、さらに、複数の更新が必要な場合は、全ての必要な更新がインストールされることを保証するために、前にインストールされた更新の検出を含むことができる。インストールの更新を通知し、例えば、適切なパーティに問合せまたはトラブルシューティングを送る通知が、いかなる場合にもユーザに表示されることができる(ステップ96)。ユーザがインストールに同意しない場合は(ステップ88の「いいえ」のブランチ)、インストールがキャンセルされることができる(ステップ94)。
【００３２】
他の実施形態が図11に示されている。この実施形態では、メディア60は、やはりコンテンツまたは非更新データ68を含むが、スロット1〜5は、更新62'〜66'を含む。この実施形態では、スロットは、1つのメディアプレーヤに対する順次更新を含むのではなく、各タイプのメディアプレーヤのための最新の更新を含むことができる。もちろん、図11の実施形態は、いくつかのスロットが順次更新を含み、他のいくつかのスロットが複数のそれぞれの会社からの更新を含むように、図8の実施形態と結合されることができる。
【００３３】
BD-ROM設定では、1つのグループのBDプレーヤ会社のそれぞれのためにスロットがディスク上に提供されることができ、1つの会社から受け取られた最新の更新が対応するスロットに記憶される。このようにして、各会社は、BD-ROMディスク上にその会社の最新の更新を有することを保証される。更新スロットを使用するプレーヤ会社は、自社の仕様に合わせてヘッダおよび更新データを任意選択で暗号化することができる、あるいは、メディアプレーヤに、停電またはいかなる消費者の行為も更新プロセスによってプレーヤの機能を損なわないことを保証するための機能を含めることができる。さらに、プレーヤ会社は、すでにリリースされたソフトウェアタイトルに悪影響を与えないように更新がテストされることができるように、コンテンツ会社に更新の先端的コピーを提供することができる。
【００３４】
上記発明の一実施形態は、ディスクから更新を読み出すことおよびメディアプレーヤ内のファームウェアまたは他のコントローラを更新することを提供する、ならびに、更新データをレプリケータシステム内の記憶メディアに記憶することを提供するなどの、コンピュータ命令を記憶し実行するために、1つまたは複数のプログラマブルプロセッサおよび対応するコンピュータシステムコンポーネントを含む。
【００３５】
上記の説明は特定の諸実施形態に関して行われてきたが、本発明の範囲は、本明細書に添付された特許請求の範囲の範囲によってのみ解釈され限定されるべきであることに留意されたい。また、上記説明は、用語「システム」および「方法」を例示的に使用してきたこと、ならびに、これらは本発明のシステム実施形態および方法実施形態を指すことにも留意されたい。1つのそのような用語の使用は、説明されたおよび関係する実施形態に関するその他の実施形態の考慮を除外しない。さらに、他の変形形態および実施形態も可能である。例えば、DVD、CD-ROM、BD-ROM、磁気ディスク、フラッシュメモリ、またはダウンロード可能なファイルなど、様々なタイプのメディアが使用されることができる。更新/コンテンツメディアは、オーディオ、ビデオ、ムービー、ゲーム、音楽、ソフトウェア、または他のデータなど、様々なコンテンツを含むことができる。メディアプレーヤは、光ディスクプレーヤ、コンピュータシステム、モバイル装置(例えば、電話またはPDA)、ゲームシステムなど、様々なタイプのものでよい。
【図面の簡単な説明】
【００３６】
【図１】本発明の第1の実施形態を示す流れ図である。
【図２】図1に示されたステップの2つの代替実施形態を示す図である。
【図３】本発明の諸実施形態で利用することができるメディアプレーヤ装置の概略図である。
【図４】本発明の他の実施形態を示す流れ図である。
【図５】本発明の他の実施形態を示す流れ図である。
【図６】本発明の諸実施形態で利用することができるメディアレプリケータ装置の概略図である。
【図７】図6の装置を使用する本発明の一実施形態の諸ステップを示す流れ図である。
【図８】本発明の他の実施形態によるスロットを含むメディアを示す図である。
【図９】図8のメディアを使用する本発明の一実施形態の諸ステップを示す流れ図である。
【図１０】本発明の他の実施形態を示す流れ図である。
【図１１】本発明の他の実施形態によるスロットを含むメディアを示す図である。
【図１】
2009523290.tif 000003
【図２】
2009523290.tif 000004
【図３】
2009523290.tif 000005
【図４】
2009523290.tif 000006
【図５】
2009523290.tif 000007
【図６】
2009523290.tif 000008
【図７】
2009523290.tif 000009
【図８】
2009523290.tif 000010
【図９】
2009523290.tif 000011
【図１０】
2009523290.tif 000012
【図１１】
2009523290.tif 000013
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
メディアプレーヤのコントローラに更新を提供する方法であって、更新/コンテンツメディアを作成することを含み、前記更新/コンテンツメディアが、コンテンツに対応するデータおよび少なくとも1つの更新に対応するデータを含む方法。
【請求項２】
前記作成することが、対応する複数の更新を含む複数のスロットを作成することをさらに含む、請求項1に記載の方法。
【請求項３】
前記複数のスロットの少なくとも一部分が、1つのメディアプレーヤのために様々な更新を含む、請求項2に記載の方法。
【請求項４】
各スロットが、1つのタイプのメディアプレーヤのために別個の更新を含む、請求項3に記載の方法。
【請求項５】
前記複数のスロットの少なくとも一部分が、複数のタイプのメディアプレーヤのために様々な更新、それぞれ1つまたは複数の更新を含む、請求項2に記載の方法。
【請求項６】
各スロットが、別個のタイプのメディアプレーヤのために最新の更新を含む、請求項5に記載の方法。
【請求項７】
前記メディアプレーヤが、更新の存在を自動的に検出するように構成される、請求項1に記載の方法。
【請求項８】
前記作成することが、前記メディアが複製された場合、前記更新が前記メディア上に提供されるように、前記更新をディスクレプリケータに記憶することをさらに含む、請求項1に記載の方法。
【請求項９】
前記作成することが、前記全てのスロットが満たされるまで各スロットに更新を記憶し、次いで、時間的に最も古い更新を時間的に次の更新で置換することをさらに含む、請求項3に記載の方法。
【請求項１０】
前記更新が暗号化される、請求項1に記載の方法。
【請求項１１】
前記更新が、前記更新がどのメディアプレーヤに関するかを識別するヘッダを含む、請求項1に記載の方法。
【請求項１２】
前記ヘッダが暗号化される、請求項11に記載の方法。
【請求項１３】
コンテンツに対応するデータおよび少なくとも1つの更新に対応するデータを含むコンピュータ可読メディア。
【請求項１４】
メディアプレーヤのコントローラを更新する方法であって、
a.  更新/コンテンツメディアを提供することであって、前記更新/コンテンツメディアが、コンテンツに対応するデータおよび少なくとも1つの更新に対応するデータを含むこと、
b.  前記更新/コンテンツメディアをメディアプレーヤに挿入するようにユーザに命令すること、
c.  前記更新/コンテンツメディアが前記メディアプレーヤに対応する更新を含むかどうか検出すること、およびそれを含む場合は、
i.  前記メディアプレーヤを介して前記ユーザに画面を表示することであって、前記画面が、前記更新をインストールする選択肢を前記ユーザに与えること、
ii.  その結果、前記ユーザが前記更新をインストールすることを選択した場合は、前記更新が前記メディアプレーヤの前記コントローラを変更することを含む方法。
【請求項１５】
前記更新がインストールされたという通知を表示することをさらに含む、請求項14に記載の方法。
【請求項１６】
メディアプレーヤのコントローラを更新する方法であって、
a.  更新/コンテンツメディアを提供することであって、前記更新/コンテンツメディアが、コンテンツに対応するデータおよび少なくとも1つの更新に対応するデータを含むこと、
b.  前記更新/コンテンツメディアをメディアプレーヤに挿入すること、および
c.  前記メディアプレーヤの前記コントローラが変更されるように前記更新/コンテンツメディアをインストールすることを含む方法。
【国際調査報告】
2009523290.tif 000014